(57)【要約】【課題】  デジタル表示器の表示桁数を増やすことなく表示されるべき数値の所望の位をデジタル表示器に容易に表示することができる数値表示装置を提供する。【解決手段】  デジタル表示器１３の表示を制御する制御部１９の算出部２２で、車速センサ２１で検出された車速データからデジタル表示器１３に表示可能な桁数を超える桁数の小数点が付された数値を算出し、算出部２２で算出された数値からデジタル表示器１３の表示桁数の小数点を含む数値を回転操作ノブ１４の回転方向及び回転角度に応じて切出部２３で切り出し、切出部２３で切り出した数値をデジタル表示器１３に表示させるべく制御部１９から駆動回路１８に制御信号を出力する。【選択図】  図２
2005257375.tif 000002
【特許請求の範囲】
【請求項１】
小数点が付された複数の桁数の数値を表示可能なデジタル表示器と、該デジタル表示器に表示される前記数値の位の変更のための操作部と、前記デジタル表示器に前記小数点が付された前記数値を表示させるべく前記デジタル表示器に駆動信号を出力する駆動回路と、入力情報を受け、該入力情報から得られる数値を前記デジタル表示器に表示させるべく前記駆動回路を介して前記デジタル表示器の表示を制御する制御部とを備え、該制御部は、前記入力情報から前記デジタル表示器に表示可能の桁数を超える桁数の前記小数点が付された前記数値を算出する算出部と、該算出部で算出された前記数値から前記デジタル表示器に表示される桁数の前記小数点を含む前記数値を前記操作部の操作に応じて切り出す切出部とを有し、該切出部で切り出された前記数値を前記デジタル表示器に表示させるべく前記制御部から前記駆動回路に制御信号が出力されることを特徴とする数値表示装置。
【請求項２】
前記操作部は、回転操作ノブであり、該回転操作ノブのその軸線の周りの回転操作により、前記デジタル表示器に表示される前記数値の位が変更し、前記回転操作ノブの押し込み操作により、前記デジタル表示器に表示された数値が０にリセットされることを特徴とする請求項１に記載の数値表示装置。
【発明の詳細な説明】
【技術分野】
【０００１】
本発明は、例えば車両の走行距離の積算値をデジタル表示するために用いるのに好適な数値表示装置に関する。
【背景技術】
【０００２】
従来、例えば車両に設けられる数値表示装置として、走行距離を計測するためのオドメータ及びトリップメータが知られている（例えば、特許文献１乃至４参照。）。
【０００３】
オドメータ及びトリップメータは、それぞれ車両の走行距離の積算値をデジタル表示するデジタル表示器を有する。各デジタル表示器は、一般的に、運転者が運転中に各デジタル表示器の表示を視認し易いように、車両に設けられたインストルメントパネルの計器板に配置されている。
【０００４】
オドメータは、リセット不可能であり、車両の製造時から現時点までの全走行距離の積算値を計測するために用いられるため、そのデジタル表示器の表示桁数は比較的多く設定されている。
【０００５】
これに対し、トリップメータは、リセット可能であり、任意の区間の比較的短い走行距離を計測するのに用いられるため、また、そのデジタル表示器が配置される計器板には車速度計やエンジンの回転数計等の各種計器が集中的に配置されているためスペース上の関係から、トリップメータのデジタル表示器には多くの表示桁数は与えられていない。このため、トリップメータのデジタル表示器に表示される数値は、零表示を除いて、デジタル表示器の全ての桁が９で示される最大値と、デジタル表示器の最も軽い桁が１であり且つその他の桁が０である最小値との間に限定される。
【０００６】
従って、このトリップメータでは、そのデジタル表示器に表示される範囲内で走行距離の積算値を計測することができる。
【特許文献１】特開２００２−２４８９６７号（第３−７頁、第１図）
【特許文献２】特開平１０−６８１１号（第４−６頁、第３図）
【特許文献３】特開平９−５３４１号（第２−４頁、第１図）
【特許文献４】特開平５−４００４４号（第２−４頁、第１図）
【発明の開示】
【発明が解決しようとする課題】
【０００７】
しかしながら、トリップメータのデジタル表示器に表示される数値が、デジタル表示器の全ての桁が９で示される最大値と、デジタル表示器の最も軽い桁が１であり且つその他の桁が０である最小値との間に限定されることから、積算値のデジタル表示器の最も重い桁を超える数値や、最も軽い桁よりも小さい数値がデジタル表示器に表示されない。
【０００８】
このため、例えばデジタル表示器の表示桁数が整数三桁と小数一桁との計四桁である場合には、デジタル表示器には表示単位をＫｍとして０００．１ｋｍと９９９．９Ｋｍとの間でしか積算値が表示されず、１０００Ｋｍ以上の位や、小数点以下の例えば１０ｍ、１ｍの位はデジタル表示器に表示されない。このため、１０００Ｋｍを越える長距離や、１０ｍ、１ｍ等の短距離をトリップメータで計測することができない。
【０００９】
本発明の目的は、デジタル表示器の表示桁数を増やすことなく表示されるべき数値の所望の位をデジタル表示器に容易に表示することができる数値表示装置を提供することにある。
【課題を解決するための手段】
【００１０】
上記課題を解決するために、本発明は、小数点が付された複数の桁数の数値を表示可能なデジタル表示器と、該デジタル表示器に表示される前記数値の位の変更のための操作部と、前記デジタル表示器に前記小数点が付された前記数値を表示させるべく前記デジタル表示器に駆動信号を出力する駆動回路と、入力情報を受け、該入力情報から得られる数値を前記デジタル表示器に表示させるべく前記駆動回路を介して前記デジタル表示器の表示を制御する制御部とを備え、該制御部は、前記入力情報から前記デジタル表示器に表示可能の桁数を超える桁数の前記小数点が付された前記数値を算出する算出部と、該算出部で算出された前記数値から前記デジタル表示器に表示される桁数の前記小数点を含む前記数値を前記操作部の操作に応じて切り出す切出部とを有し、該切出部で切り出された前記数値を前記デジタル表示器に表示させるべく前記制御部から前記駆動回路に制御信号が出力されることを特徴とする。
【００１１】
上記の構成では、入力情報から算出部で算出されたデジタル表示器の表示桁数を超える桁数の小数点が付された数値から、デジタル表示器に表示される桁数の小数点を含む数値を操作部の操作に応じて切出部で切り出し、切り出した小数点を含む数値をデジタル表示器に表示させる。これにより、デジタル表示器の表示桁数を増やすことなく、操作部の操作によりデジタル表示器に数値の所望の位を容易に表示することができる。
【００１２】
従って、本発明を例えば車両に設けられるトリップメータに用いた場合、デジタル表示器に従来表示されなかった積算値の例えば１０００Ｋｍの位や１０ｍ、１ｍの位を操作部の操作によりデジタル表示器に表示することができる。これにより、１０００Ｋｍを超える長距離や、１０ｍ、１ｍの短距離をトリップメータで容易に計測することができる。
【００１３】
また、前記操作部に回転操作ノブを用いることができる。この回転操作ノブの軸線の周りの回転操作により、デジタル表示器に表示される数値の位が変更し、その押し込み操作により、デジタル表示器に表示された数値が０にリセットされる。
【発明の効果】
【００１４】
本発明によれば、入力情報から算出部で算出されたデジタル表示器の表示桁数を超える桁数の小数点が付された数値から、デジタル表示器に表示される桁数の小数点を含む数値を操作部の操作に応じて切出部で切り出し、切り出した小数点を含む数値をデジタル表示器に表示させる。これにより、デジタル表示器の表示桁数を増やすことなく、操作部の操作によりデジタル表示器に数値の所望の位を容易に表示することができる。
【発明を実施するための最良の形態】
【００１５】
本発明を図示の実施例に沿って説明する。
【実施例】
【００１６】
本実施例では、本発明に係る数値表示装置を、車両に設けられるトリップメータに用いた例を示す。
【００１７】
トリップメータは、従来よく知られているように、オドメータが車両の製造時から現時点までの全走行距離を表示するリセット不可能な走行距離計であるのに対し、任意の地点で走行距離の積算値をリセット可能であり、その積算値をリセットした地点から目的地までの区間走行距離を計測するための走行距離計である。
【００１８】
トリップメータ１０は、図１に示すように、車両の図示しないインストルメントパネルに設けられた車速度計１１の文字板１２に設けられたデジタル表示器１３と、車速度計１１の文字板１２にデジタル表示器１３の近傍で設けられた回転操作ノブ１４とを備える。
【００１９】
デジタル表示器１３は、図示の例では、車両の走行距離の積算値をデジタル表示するための四つの液晶パネル１７を備える。各液晶パネル１７は、一列に互いに連結されており、それぞれ数字を表示するための７つのセグメント１５及び小数点を表示するための一つのドット１６（図４を参照。）を有する。すなわち、デジタル表示器１３は、小数点が付された四桁の数値を表示可能である。
【００２０】
回転操作ノブ１４は、全体に軸状をなしており、車速度計１１の文字板１２に向けて押し込み可能且つその軸線周りに回転可能に車速度計１１の文字板１２に該文字板から車室内へ向けて突出して設けられている。回転操作ノブ１４は、従来よく知られているように、デジタル表示器１３に表示された走行距離の積算値が零にリセットするために、車速度計１１の文字板１２へ向けて押し込み操作される。また、本実施例では、回転操作ノブ１４は、後述するように、デジタル表示器１３に表示する数値の位を変更するために、その軸線周りに回転操作される。
【００２１】
更に、トリップメータ１０は、図２に示すように、デジタル表示器１３に小数点が付された走行距離の積算値を表示させるための駆動回路１８と、該駆動回路を介してデジタル表示器１３の表示を回転操作ノブ１４の回転方向及び回転角度に応じて制御する制御部１９と、デジタル表示器１３に表示した走行距離の積算値を記憶させておくためのメモリ２０とを備える。
【００２２】
デジタル表示器１３の表示を制御する制御部１９は、車両に設けられた車速センサ２１に接続された算出部２２と、メモリ２０に接続され、回転操作ノブ１４からその操作情報を受ける切出部２３とを有する。
【００２３】
車速センサ２１は、従来よく知られているように、車両の速度を検出する。車速センサは２１、図示の例では、検出した車速のデータを算出部２２に出力する。
【００２４】
算出部２２は、車速センサ２１から車速データを受けると、この車速データからデジタル表示器１３の表示桁数である四桁を越える桁数の走行距離の積算値を示す小数点が付された数値を算出し、算出した数値を切出部２３に出力する。算出部２２は、本実施例では、車速データから整数四桁と小数三桁の計七桁の数値を算出する。
【００２５】
切出部２３は、算出部２２から小数点が付された七桁の数値を示す信号と、回転操作ノブ１４からその回転方向及び回転角度を示す信号とを受けると、算出部２２から受けた七桁の数値からデジタル表示器１３に表示可能な四桁の小数点を含む数値を回転操作ノブ１４の回転方向及び回転角度に応じた切出位置で切り出す。
【００２６】
切出部２３は、図示の例では、回転操作ノブ１４が図１で見て時計回りの方向へ回転操作されたときは、回転操作ノブ１４の時計回りの方向への回転角度が大きくなるに従って切出位置が算出部２２で算出された数値の中の大きな位へ移動し、回転操作ノブ１４の回転角度に応じた切出位置で小数点を含む四桁の数値を切り出す。
【００２７】
他方、切出部２３は、回転操作ノブ１４が反時計回りの方向へ回転操作されたときは、回転操作ノブ１４の反時計回りの方向への回転角度が大きくなるに従って切出位置が算出部２２で算出された数値の中の小さな位へ移動し、回転操作ノブ１４の回転角度に応じた切出位置で小数点を含む四桁の数値を切り出す。
【００２８】
切出部２３で切り出された積算値データは、トリップメータ１０の電源をＯＦＦ状態にしたときに積算値データが消えないようにメモリ２０に記憶される。これにより、トリップメータ１０の電源をＯＮ状態にしたときに、電源をＯＦＦ状態にしたときの走行距離に続けて走行距離を計測することができる。メモリ２０には、書き込みした情報を保存可能な例えばＲＯＭやＳＲＡＭのような記憶装置を用いることができる。
【００２９】
切出部２３は、回転操作ノブ１４の回転方向及び回転角度に応じた切出位置で切り出した小数点を含む四桁の数値をデジタル表示器１３に表示する旨の制御信号を駆動回路１８に出力する。
【００３０】
また、切出部２３は、回転操作ノブ１４から該回転操作ノブが押し込み操作されたことを示す信号を受けたときは、デジタル表示器１３に表示された数値を０にリセットする旨の駆動信号を駆動回路１８に出力する。
【００３１】
駆動回路１８は、切出部２３から数値をデジタル表示器１３に表示する旨の制御信号を受けると、切出部２３で切り出された小数点を含む四桁の数値をデジタル表示器１３に表示するために、該デジタル表示器に駆動信号を出力する。また、駆動回路１８は、切出部２３からデジタル表示器１３の表示をリセットする旨の駆動信号を受けると、デジタル表示器１３の表示をリセットするための駆動信号をデジタル表示器１３に出力する。
【００３２】
制御部１９でのデジタル表示器１３の表示動作を、図３に示すフローチャートに沿って説明する。
【００３３】
制御部１９は、車速センサ２１から車速データを算出部２２で受けると、その車速データから整数四桁と少数三桁との計七桁の走行距離を示す数値を算出部２２で算出する（ステップＳ１）。
【００３４】
制御部１９は、算出部２２で走行距離を示す数値を算出すると、回転操作ノブ１４から受ける信号から該回転操作ノブが回転操作されたか否かを切出部２３で判定する（ステップＳ２）。
【００３５】
制御部１９は、回転操作ノブ１４が回転操作されたと切出部２３で判定すると、回転操作ノブ１４の回転が時計回りであるか否かを切出部２３で判定する（ステップＳ３）。
【００３６】
制御部１９は、切出部２３で回転操作ノブ１４の回転が時計回りであると判定すると、算出部２２で算出した数値から小数点を含む四桁の数値を切出部２３で切り出す切出位置を、回転操作ノブ１４の時計回り方向への回転角度の増大に応じて算出部２２で算出した数値の中の大きな位へ移動させる（ステップＳ４）。
【００３７】
また、制御部１９は、回転操作ノブ１４の回転が反時計回りであると切出部２３で判定すると、切出部２３の切出位置を回転操作ノブ１４の反時計回り方向への回転角度の増大に応じて算出部２２で算出した数値の中の小さな位へ移動させる（ステップＳ５）。
【００３８】
制御部１９は、算出部２２で算出した小数点を含む七桁の数値から、切出部２３の回転操作ノブ１４の回転方向及び回転角度に応じて移動させた切出位置で小数点を含む四桁の数値を切り出す（ステップＳ６）。
【００３９】
また、制御部１９は、ステップＳ２で回転操作ノブ１４が回転操作されていないと切出部２３で判定すると、切出部２３の切出位置を移動させることなく、算出部２２で算出した数値から小数点を含む四桁の数値を回転操作ノブ１４が回転操作されていない状態での該回転操作ノブの回転位置に応じた切出位置で切り出す（ステップＳ６）。
【００４０】
切出部２３で切り出された小数点を含む四桁の数値は、前記したように、メモリ２０に記憶される。
【００４１】
制御部１９は、回転操作ノブ１４の回転方向及び回転角度に応じて小数点を含む四桁の数値を切出部２３で切り出すと、その切り出した数値をデジタル表示器１３に表示させる旨の制御信号を駆動回路１８に出力する（ステップＳ７）。これにより、回転操作ノブ１４の回転方向及び回転角度に応じた小数点を含む四桁の数値がデジタル表示器１３に表示される。
【００４２】
回転操作ノブ１４の回転方向及び回転角度を変化させていったときのデジタル表示器１３の表示状態を、図４に沿って説明する。
【００４３】
算出部２２で算出された数値が例えば１２３４．５６７であり、回転操作ノブ１４の回転操作を行う前の状態でデジタル表示器１３に表示された数値が、図４（ａ）に示すように、４．５６７である場合、この表示状態で回転操作ノブ１４を時計回り方向へ回転させると、前記したように、回転操作ノブ１４の時計回り方向への回転角度が大きくなるに従って切出部２３での切出位置が１２３４．５６７の中の「４．５６７」より大きな位へ移動することから、デジタル表示器１３には、回転操作ノブ１４の回転角度の増大に応じて３４．５６（図４（ｂ））、２３４．５（図４（ｃ））、１２３４．（図４（ｄ））の順に数値が表示される。すなわち、回転操作ノブ１４の時計回り方向への回転操作により、デジタル表示器１３に表示される小数点が右へ移動し、算出部２２で算出された数値のデジタル表示器１３に表示されていなかった大きな位がデジタル表示器１３に順次表示される。
【００４４】
他方、デジタル表示器１３に、図４（ｄ）に示すように、１２３４．が表示された状態で回転操作ノブ１４を反時計回り方向へ回転させると、前記したように、回転操作ノブ１４の反時計回り方向への回転角度が大きくなるに従って切出部２３での切出位置が１２３４．５６７の中の「１２３４．」より小さな位へ移動することから、デジタル表示器１３には、回転操作ノブ１４の回転角度の増大に応じて２３４．５（図４（ｃ））、３４．５６（図４（ｂ））、４．５６７（図４（ａ））の順に数値が表示される。すなわち、回転操作ノブ１４の反時計回り方向への回転操作により、デジタル表示器１３に表示される小数点が回転操作ノブ１４の時計回りへの回転操作時とは逆に左へ移動し、算出部２２で算出された数値のデジタル表示器１３に表示されていなかった小数点以下の小さな位がデジタル表示器１３に順次表示される。
【００４５】
従って、回転操作ノブ１４の回転操作により、算出部２２で算出された数値１２３４．５６７をデジタル表示器１３に表示する範囲がスクロールされる。
【００４６】
本実施例によれば、前記したように、車速センサ２１で検知した車速データから算出部２２で算出されたデジタル表示器１３の表示桁数を超える桁数の小数点が付された数値から、デジタル表示器１３に表示される桁数の小数点を含む数値を回転操作ノブ１４の回転操作に応じて切出部２３で切り出し、切り出した小数点を含む数値をデジタル表示器１３に表示させることができる。これにより、回転操作ノブ１４の回転操作によりデジタル表示器１３に表示する数値の位を容易に変更することができるため、デジタル表示器１３の表示桁数を増やすことなく表示されるべき数値の所望の位をデジタル表示器１３に容易に表示することができる。
【００４７】
従って、１０００Ｋｍを超える長距離や、１０ｍ、１ｍの短距離をトリップメータ１０で計測したいときに、回転操作ノブ１４の回転操作により走行距離の積算値の１０００Ｋｍの位や１０ｍ、１ｍの位をデジタル表示器１３に表示することができるため、長距離や短距離をトリップメータ１０で容易に計測することができる。
【００４８】
また、本実施例によれば、前記したように、車両に従来から設けられているデジタル表示器１３のリセットのための回転操作ノブ１４の回転操作により、デジタル表示器１３に表示される数値の位を変更することができる。これにより、デジタル表示器１３に表示される数値の位を変更するための操作部材を別に設ける必要がないため、車両に大きな設計変更を招くことを抑制することができ、また製造コストの増大を抑制することができる。
【００４９】
本実施例では、トリップメータ１０のデジタル表示器１３に表示可能な桁数が四桁である例を示したが、表示桁数が四桁以外のデジタル表示器を備えるトリップメータ１０に本発明を用いることができる。この場合、算出部２２で車速データから算出される数値の桁数をデジタル表示器１３の表示桁数の増減に応じて変えることができる。
【００５０】
また、本実施例では、回転操作ノブ１４を時計回り方向へ回転させたときに、切出部２３での算出部２２で算出された数値からの切出位置が該数値の大きな位へ移動し、反時計回り方向へ回転させたときに、切出位置が前記数値の小さな位へ移動する例を示したが、回転操作ノブ１４の回転方向に対する切出位置の移動方向を逆に設定することができる。
【００５１】
また、回転操作ノブ１４の回転操作によりデジタル表示器１３に表示される数値の位を変更させた例を示したが、回転操作ノブ１４の回転操作以外の例えば押し込み操作によりデジタル表示器１３に表示される数値の位を変更することができる。
【００５２】
更に、デジタル表示器１３の表示をリセットするための回転操作ノブ１４をデジタル表示器１３に表示される数値の位を変更するために用いた例を示したが、デジタル表示器１３に表示される数値の位を変更するための操作部を回転操作ノブ１４とは別に設けることができる。
【００５３】
また、本実施例では、車両に設けられるトリップメータ１０に本発明を用いた例を示したが、トリップメータ１０以外の計器で数値をデジタル表示する計器や、車両に設けられる計器以外の計器で数値をデジタル表示する計器に、本発明を用いることができる。
【図面の簡単な説明】
【００５４】
【図１】本発明に係る数値表示装置を用いたトリップメータが設けられた車両の車速時計を概略的に示す正面図である。
【図２】本発明に係る数値表示装置のブロック図である。
【図３】制御部でのデジタル表示器の表示動作を示すフローチャートである。
【図４】回転操作ノブの各回転位置におけるデジタル表示器の表示状態を概略的に示す正面図である。
【符号の説明】
【００５５】
１３  デジタル表示器
１４  操作部（回転操作ノブ）
１８  駆動回路
１９  制御部
２２  算出部
２３  切出部
１０  数値表示装置（トリップメータ）
【図１】
2005257375.tif 000003
【図２】
2005257375.tif 000004
【図３】
2005257375.tif 000005
【図４】
2005257375.tif 000006